(57)【要約】  エチレン共重合体に架橋助剤を配合して成り、その架橋物が優れた絶縁性（体積固有抵抗値）を有する架橋用樹脂組成物を提供する。  エチレン共重合体に架橋剤と共に架橋助剤としてウレタンポリ（メタ）アクリレートを配合して成る熱架橋用樹脂組成物、および、（２）エチレン共重合体に架橋助剤としてウレタンポリ（メタ）アクリレートを配合して成る放射線架橋用樹脂組成物。【特許請求の範囲】
【請求項１】
エチレン共重合体に架橋剤と共に架橋助剤としてウレタンポリ（メタ）アクリレートを配合して成ることを特徴とする熱架橋用樹脂組成物。
【請求項２】
エチレン共重合体に架橋助剤としてウレタンポリ（メタ）アクリレートを配合して成ることを特徴とする放射線架橋用樹脂組成物。
【請求項３】
請求項１又は２に記載の架橋用樹脂組成物から成ることを特徴とする封止材。
【請求項４】
太陽電池用である請求項３に記載の封止材。
【発明の詳細な説明】
【技術分野】
【０００１】
本発明は、架橋用樹脂組成物および封止材に関し、詳しくは、エチレン共重合体に特定の架橋助剤を配合して成る架橋用樹脂組成物および当該架橋用樹脂組成物から成る太陽電池用など封止材に関する。
【背景技術】
【０００２】
従来より、各種の電子材料モジュールの組立に使用される封止材として、エチレン系共重合体をベース材料とし、これに架橋剤として有機過酸化物を配合した樹脂組成物が提案されている（特許文献１）。【０００３】
また、エチレン系共重合体１００重量部及び有機過酸化物０．０５〜０．５重量部からなる太陽電池用接着シートであって、アクリロイル基又はメタクリロイル基の何れか一方或いは双方を合計４個以上有する多官能モノマーが含有されている太陽電池用接着シートが提案されている（特許文献２）。【０００４】
更に、エチレン−不飽和エステル共重合体、架橋剤、及び架橋助剤を含む太陽電池用封止膜であって、前記架橋助剤として、多価アルコールの多官能（メタ）アクリレートとＴＡＩＣとを含む太陽電池用封止膜が提案されている（特許文献３）。【０００５】
ところで、樹脂としてエチレン共重合体を使用した封止材においては特に絶縁性（体積固有抵抗値）が問題とされるが、この点において従来の提案は必ずしも充分とは言えない。
【先行技術文献】
【特許文献】
【０００６】
【特許文献１】特開昭６０−２２６５８９号公報
【特許文献２】特開２００７−１２３４８８号公報
【特許文献１】特開２００９−１３５２００号公報
【発明の概要】
【発明が解決しようとする課題】
【０００７】
本発明は、上記実情に鑑みなされたものであり、その目的は、エチレン共重合体に架橋助剤を配合して成り、その架橋物が優れた絶縁性（体積固有抵抗値）を有する架橋用樹脂組成物を提供することにある。
【課題を解決するための手段】
【０００８】
本発明は、上記の目的を達成すべく鋭意検討を重ねた結果、エチレン共重合体に特定の架橋助剤を配合することにより、上記の目的を達成し得るとの知見を得た。【０００９】
すなわち、本発明の第１の要旨はエチレン共重合体に架橋剤と共に架橋助剤としてウレタンポリ（メタ）アクリレートを配合して成ることを特徴とする熱架橋用樹脂組成物に存し、第２の要旨はエチレン共重合体に架橋助剤としてウレタンポリ（メタ）アクリレートを配合して成ることを特徴とする放射線架橋用樹脂組成物に存し、第３の要旨は上記の各架橋用樹脂組成物から成ることを特徴とする封止材に存する。
【発明の効果】
【００１０】
本発明によれば前記の課題が達成される。
【発明を実施するための形態】
【００１１】
＜エチレン共重合体＞
エチレン共重合体は、エチレンを主成分とし、これと共重合可能なモノマーとの共重合体であり、モノマーとしては、ビニルエステル、不飽和カルボン酸エステル、不飽和カルボン酸及びその金属塩、不飽和珪素化合物、α−オレフィンなどが例示される。共重合可能なモノマーとしては、極性モノマーが好ましい。エチレン共重合体の具体例としては、エチレン酢酸ビニル共重合体のようなエチレン・ビニルエステル共重合体、エチレン・アクリル酸メチル共重合体・エチレン・アクリル酸イソブチル・メタクリル酸共重合体のようなエチレン・不飽和カルボン酸エステル共重合体及びそのアイオノマーが例示される、これらの中ではエチレン酢酸ビニル共重合体が特に好ましい。
【００１２】
＜架橋助剤＞
本発明の架橋用樹脂組成物は、エチレン共重合体に架橋助剤としてウレタンポリ（メタ）アクリレートを配合して成る。ウレタンポリ（メタ）アクリレートは、例えば有機イソシアネートと水酸基含有（メタ）アクリレートから合成することができる。ウレタンポリ（メタ）アクリレートの中では分子量が高いものが好ましい。平均分子量としては、１０００以上、好ましくは１２００以上である。
【００１３】
有機イソシアネートとしては、１分子内にイソシアネート基を２個以上有する化合物であり、有機基としては、直鎖、分岐、環状の脂肪族炭化水素基、芳香族炭化水素基、イソシアヌレート等の複素環基が挙げられる。有機イソシアネートの具体例としては、１，６−ヘキサメチレンジイソシアネート、イソホロンジイソシアネート、トルイジンジイソシアネート、ＭＤＩ（ジフェニルメタンジイソシアネート）、水添ＭＤＩ、キシリレンジイソシアネート、１，６−ヘキサメチレンジイソシアネート３量体、イソホロンジイソシアネート３量体等が挙げられる。
【００１４】
水酸基含有（メタ）アクリレートは、１分子中に水酸基を１個以上有する（メタ）アクリレートである。例えば多価アルコールの（メタ）アクリレートであって、その具体例しては、トリメチロールプロパンジ（メタ）アクリレート、ペンタエリスリトールトリ（メタ）アクリレート、ジペンタエリスリトールテトラ（メタ）アクリレート、トリペンタエリスリトール（メタ）アクリレート、ポリアルキルジオール（メタ）アクリレート、ポリエチレングリコール（メタ）アクリレート、ポリアルキレングリコール（メタ）アクリレート、グリセリンジ（メタ）アクリレート、ポリオール（メタ）アクリレート等の水酸基含有（メタ）アクリレートが挙げられる。水酸基含有（メタ）アクリレートは、単一のアクリレートでもよいし、これらを混合したものであってもよい。
【００１５】
ウレタンポリ（メタ）アクリレートの市販品の例としては、共栄社化学社製の「ＵＡ−３０６Ｈ」、「ＵＡ−３０６Ｔ」、「ＵＡ−３０６Ｉ」、「ＵＡ−５１０Ｈ」、ダイセルサイテック社製の「ＫＲＭ７８６４」、「ＫＲＭ８４５２」、「ＥＢ１２９０」、「ＥＢ１２９０Ｋ」、「ＥＢ５１２９」、新中村化学社製の「Ｕ−６ＨＡ」、「Ｕ−６ＬＰＡ」、「ＵＡ−３３Ｈ」、「Ｕ−１５ＨＡ」、「ＵＡ−１２２Ｐ」、日本合成社製の「ＵＶ７６００Ｂ」、「ＵＶ７６０５Ｂ」、「ＵＶ７６１０Ｂ」、「ＵＶ７６２０ＥＡ」等が挙げられる。
【００１６】
＜他の架橋助剤＞
本発明においては、本発明の効果を損なわない限り、例えば多官能（メタ）アクリレート等の他の架橋助剤を併用してもよい。多官能（メタ）アクリレートは、１分子中に（メタ）アクリロイル基を２個以上、好ましくは３個以上有するものである。具体的には、トリメチロールプロパントリ（メタ）アクリレート、ジメチロールプロパンテトラ（メタ）アクリレート、ペンタエリスリトールトリ（メタ）アクリレート、ペンタエリスリトールテトラ（メタ）アクリレート、ジペンタエリスリトールペンタ（メタ）アクリレート、ジペンタエリスリトールヘキサ（メタ）アクリレート等が挙げられる。
【００１７】
＜架橋剤＞
熱架橋においては架橋助剤と共に架橋剤が使用される。斯かる架橋剤としては一般に有機過酸化物が使用される。有機過酸化物としては、加硫条件でパーオキシラジカルを発生する公知の有機過酸化物であれば特に限定されない。例えば、ジ−ｔ−ブチルパーオキサイド、ジクミルパーオキサイド、２，５−ジメチル−２，５−ジ（ベンゾイルパーオキシ）ヘキサン、２，５−ジメチル−２，５−ジ（ｔ−ブチルパーオキシ）ヘキサン、ｔ−ブチルパーオキシ−２−エチルヘキシル−モノカーボネート、１，１−ビス（ｔ−ブチルパーオキシ）−３，５，５−トリメチルシクロヘキサン、２，５−ジメチルヘキサン−２，５−ジヒドロキシパーオキシド、ｔ−ブチルクミルパーオキシド、α，α’−ビス（ｔ−ブチルパーオキシ）−ｐ−ジイソプロピルベンゼン、２，５−ジメチル−２，５−ジ（ｔ−ブチルパーオキシ）ヘキシン−３、ベンゾイルパーオキシド、ｔ−ブチルパーオキシベンゼン等が挙げられる。
【００１８】
本発明の架橋用樹脂組成物における架橋助剤ウレタンポリ（メタ）アクリレートの配合量は、エチレン共重合体１００重量部に対し、通常０．１〜３．０重量部、好ましくは０．５〜２．０重量部である。また、他の架橋助剤として多官能（メタ）アクリレートを併用する場合、その配合量は、エチレン共重合体１００重量部に対し、通常０．１〜３．０重量部、好ましくは０．５〜２．０重量部である。
【００１９】
架橋剤の配合量は、エチレン共重合体の種類によっても異なるが、エチレン共重合体１００重量部に対し、通常０．６〜５重量部、好ましくは１〜２重量部である。尚、放射線を照射して架橋させる場合等には、有機過酸化物は必ずしも必要ではない。
【００２０】
本発明の架橋用樹脂組成物においては、例えば、補強剤、充填剤、可塑剤、加工助剤、滑剤、顔料、老化防止剤、カップリング剤、紫外線吸収剤、受酸剤などの任意の添加剤を使用することが出来る。
【００２１】
老化防止剤の具体例としては、ジ−ｔ−ブチル−Ｐ−クレゾール、ペンタエリスリチル−テトラキシ［３−（３，５−ジ−ｔ−ブチル−４−ヒドロキシフェニル）プロピオネート］、２，２′メチレンビス（２−メチル−６−ｔ−ブチルフェニル）、ビス（２，２，６，６−テトラメチル−４−ピペラジル）セバケート、Ｎ，Ｎ’−ヘキサン−１，６−ジイルビス〔３−（３，５−ジ−ｔｅｒｔ−ブチル−４−ヒドロキシフェニル）プロピオナミド〕、ビス（２，２，６，６−テトラメチル−４−ピペラジル）セバケート、ハイドロキノンモノメチルエーテル、メチルハイドロキノン等が挙げられる。
【００２２】
カップリング剤の具体例としては、γ−クロロプロピルトリメトキシシラン、ビニルトリエトキシシラン、ビニル−トリス−（β−メトキシエトキシ）シラン、γ−メタクリロキシプロピルトリメトキシシラン、β−（３，４−エトキシシクロヘキシル）エチルトリメトキシシラン、γ−グリシドキシプロピルトリメトキシシラン、γ−メルカプトプロピルトリメトキシシラン、γ−アミノプロピルトリメトキシシラン、Ｎ−β−（アミノエチル）−γ−アミノプロピルトリメトキシシラン、等が挙げられる。
【００２３】
紫外線吸収剤の具体例としては、２−ヒドロキシ−４−ｎ−オクチルオキシベンゾフェノン、２，２−ヒドロキシ６−４，４−ジメトキシベンゾフェノン、２−（２´−ヒドロキシ−５−メチルフェニル）ベンゾトリアゾール、ｐ−ｔ−ブチルフェニルサルシネート等が挙げられる。
【００２４】
受酸剤の具体例としては、水酸化マグネシウム、水酸化カルシウム、酸化マグネシウム、酸化亜鉛などが挙げられる。
【００２５】
上記の添加剤の割合量は、エチレン共重合体１００重量部に対し、通常１０重量部以下、好ましくは５重量部以下である。
【００２６】
＜エチレン共重合体組成物の架橋＞
放射線架橋に使用される放射線としては、加速電子線、Ｘ線、α線、β線、γ線等が利用可能である。照射線量は使用する架橋性エラストマーなどによっても異なるが、通常０．１〜５００ｋＧｙである。熱架橋は、例えば射出成型機や加圧成型機などを使用し、１５０℃〜２００℃、約２〜３０分加熱することで成形体を得る。必要に応じて、その後、１５０℃〜２００℃で１〜１０時間加熱し二次架橋を行ってもよい。前述のエチレン共重合体組成物の架橋は、特に有機過酸化物による架橋が好ましい。
【００２７】
上記のエチレン共重合体組成物は、食品、医薬品、工業薬品、農業等各種の包装材料、各種の接着膜、太陽電池、液晶、発光ダイオード、有機ＥＬ等の各種電気材料の封止膜の他、血液透析、血漿成分分離、蛋白溶液の脱塩、分画、濃縮、果汁の濃縮、排水処理等の分野において有用である。特に、各種の電子材料モジュールの組立に使用される封止材として有用である。因に、太陽電池の封止材のように、相当の厚みがある態様で使用される封止剤の場合は、紫外線、電子線での硬化は出来ないため、熱硬化が適用される。
【実施例】
【００２８】
次に、実施例を挙げて本発明を更に詳細に説明するが、本発明はこれらに何ら制限されるものではない。【００２９】
実施例１〜２及び比較例１：
オープンロールにより、以下の表１に示す各成分を混練した。ＥＶＡ（エチレン酢酸ビニル共重合体）としては酢酸ビニル含有量：３２重量％のものを使用した。架橋助剤として表２示す化合物を各諸例ごとに変更して使用した。得られた組成物を１５０℃で熱プレス架橋（一次架橋）して厚さ１ｍｍのシートを得た。シートの体積固有抵抗値を表３に示す方法で測定した。結果を表４に示した。【００３０】
【表１】
2014129574.tif 000002
【００３１】
【表２】
2014129574.tif 000003
【００３２】
【表３】
2014129574.tif 000004
【００３３】
【表４】
2014129574.tif 000005
【手続補正書】
【提出日】平成28年7月11日(2016.7.11)
【手続補正１】
【補正対象書類名】特許請求の範囲
【補正対象項目名】全文
【補正方法】変更
【補正の内容】
【特許請求の範囲】
【請求項１】
エチレン共重合体に架橋剤と共に架橋助剤としてウレタンポリ（メタ）アクリレートを配合して成り、ウレタンポリ（メタ）アクリレートの配合量がエチレン共重合体１００重量部に対し、０．１〜３．０重量部であることを特徴とする熱架橋用樹脂組成物。
【請求項２】
エチレン共重合体に架橋助剤としてウレタンポリ（メタ）アクリレートを配合して成り、ウレタンポリ（メタ）アクリレートの配合量がエチレン共重合体１００重量部に対し、０．１〜３．０重量部であることを特徴とする放射線架橋用樹脂組成物。
【請求項３】
請求項１又は２に記載の架橋用樹脂組成物から成ることを特徴とする封止材。
【請求項４】
太陽電池用である請求項３に記載の封止材。
【請求項５】
請求項４記載の封止材を用いた太陽電池。
【手続補正２】
【補正対象書類名】明細書
【補正対象項目名】０００９
【補正方法】変更
【補正の内容】
【０００９】
すなわち、本発明の第１の要旨はエチレン共重合体に架橋剤と共に架橋助剤としてウレタンポリ（メタ）アクリレートを配合して成り、ウレタンポリ（メタ）アクリレートの配合量がエチレン共重合体１００重量部に対し、０．１〜３．０重量部であることを特徴とする熱架橋用樹脂組成物に存し、第２の要旨はエチレン共重合体に架橋助剤としてウレタンポリ（メタ）アクリレートを配合して成り、ウレタンポリ（メタ）アクリレートの配合量がエチレン共重合体１００重量部に対し、０．１〜３．０重量部であることを特徴とする放射線架橋用樹脂組成物に存し、第３の要旨は上記の各架橋用樹脂組成物から成ることを特徴とする封止材に存する。
【国際調査報告】
2014129574.tif 000006
2014129574.tif 000007
2014129574.tif 000008
2014129574.tif 000009